(57)【特許請求の範囲】
【請求項１】
屋上、バルコニー等の構造物にドレイン部材を設置するドレインの設置方法において、第１ドレイン部材を前記構造物に固定して排水管に連結し、第２ドレイン部材の排出口側端部を前記第１ドレイン部材及び前記排水管に固定することなく前記第１ドレイン部材に挿入して前記第２ドレイン部材を設置し、前記第２ドレイン部材の導入口側端部を前記第１ドレイン部材に部分的に固定することを特徴とするドレインの設置方法。
【請求項２】
請求項１に記載されたドレインの設置方法であって、前記第１ドレイン部材と前記第２ドレイン部材の排出口側端部との間に排水路となる空間を設けることを特徴とするドレインの設置方法。
【請求項３】
請求項１又は請求項２のいずれかに記載されたドレインの設置方法であって、防水シートを、前記第２ドレイン部材に連結することを特徴とするドレインの設置方法。
【請求項４】
請求項１乃至請求項３のいずれかに記載されたドレインの設置方法であって、前記第１ドレイン部材を、防水シートの下に敷設された保護シートに連結することを特徴とするドレインの設置方法。
【請求項５】
屋上、バルコニー等の構造物にドレイン部材を設置したドレイン構造において、前記ドレイン部材は、前記構造物に固定されて排水管に連結される第１ドレイン部材と、第２ドレイン部材とから成り、前記第２ドレイン部材は、前記第２ドレイン部材の排出口側端部が前記第１ドレイン部材及び前記排水管に固定されることなく前記第１ドレイン部材に挿入され、前記第２ドレイン部材の導入口側端部は前記第１ドレイン部材に部分的に固定されていることを特徴とするドレイン構造。
【請求項６】
請求項５に記載されたドレイン構造であって、前記第１ドレイン部材と前記第２ドレイン部材の排出口側端部との間には排水路となる空間が設けられていることを特徴とするドレイン構造。
【請求項７】
請求項５又は請求項６のいずれかに記載されたドレイン構造であって、前記第２ドレイン部材には防水シートが連結されていることを特徴とするドレイン構造。
【請求項８】
請求項５乃至請求項７のいずれかに記載されたドレイン構造であって、前記第１ドレイン部材は、防水シートの下に敷設された保護シートに連結されていることを特徴とするドレイン構造。
【発明の詳細な説明】
【技術分野】
【０００１】
本発明は、例えば、ビル等の屋上やバルコニー等の、特に防水施工される構造物にドレイン部材を設置するドレインの設置方法及びドレイン構造の改良に関し、特に、防水シートの保全、補修等に簡易、迅速に対応することに関するものである。
【背景技術】
【０００２】
例えば、オフィスビルや学校等の屋上、バルコニー、ベランダ等の風雨に曝される構造物には、防水施工を施すとともに、これらの屋上等に降り注いだ雨水等を排水するためのドレインが設置される。このドレインの構造は、構造物の躯体に管状のドレイン部材を設置し、このドレイン部材の導入口を防水シートに連結する一方、ドレイン部材の排出口を、構造物の躯体内に埋め込まれたり壁面等に沿って設置された排水管に直接連結して構成され、防水シート上の雨水は、このドレイン部材を介して排水管に排出される（例えば、特許文献１〜３等参照）。
【０００３】
しかし、ドレイン部材を、排水管に直接連結すると、防水シートの保全や補修に伴いドレイン部材を交換する必要が生じた場合には、ドレイン部材と排水管との連結を解除する作業が必要となり、また、連結の解除が困難である場合には、排水管ごと交換をしたり、排水管を途中で切断してドレイン部材と共に交換したりする等の作業がする必要があった。このため、防水シートの保全や補修等の作業に手間とコストを要し、簡易かつ迅速な作業が困難である問題が生じていた。
【０００４】
また、これらの従来のドレイン構造では、防水シートに亀裂、破損等が生じたこと等を原因として、防水シートの下側に雨水が漏洩した場合、当該漏洩した雨水をドレイン部材を介して排水管に排出することはできない問題もあった。この点、防水シートの下において雨水を排出する樋を二重構造として一次樋と二次樋の各々を排水管に直接接続して、防水シートに亀裂等が生じても二次樋により排水することができるドレイン構造も提案されている（例えば、特許文献４、５等参照）。
【０００５】
しかし、樋を二重構造としても、各々の樋がそれぞれ排水管に直接接続されていると、上記の従来技術と同様、防水シートの保全や補修等に伴い、ドレイン部材（樋）を交換する場合には、排水管との連結の解除や、排水管ともどもの交換、排水管の切断を要することに変わりはなく、やはり迅速で簡易に対応することはできなかった。
【先行技術文献】
【特許文献】
【０００６】
【特許文献１】特開２００１−１９３２２８号公報
【特許文献２】特開２００１−１９３２３２号公報
【特許文献３】特開２００１−２２７１２１号公報
【特許文献４】特開２００７−２２４５６３号公報
【特許文献５】特開２００７−２３１５６１号公報
【発明の概要】
【発明が解決しようとする課題】
【０００７】
本発明が解決しようとする課題は、上記の問題点に鑑み、防水シートに亀裂や破損が生じても排水管への排水を確保することができつつ、防水シートの保全や補修に伴うドレイン部材の交換作業を簡易にかつ迅速に行うことができるドレインの設置方法及びそのようなドレイン構造を提供することにある。
【課題を解決するための手段】
【０００８】
（１．ドレインの設置方法）
本発明は、上記の課題を解決するための第１の手段として、屋上、バルコニー等の構造物にドレイン部材を設置するドレインの設置方法において、第１ドレイン部材を構造物に固定して排水管に連結し、第２ドレイン部材の排出口側端部を第１ドレイン部材及び排水管に固定することなく第１ドレイン部材に挿入して第２ドレイン部材を設置し、第２ドレイン部材の導入口側端部を第１ドレイン部材に部分的に固定することを特徴とするドレインの設置方法を提供するものである。
【０００９】
本発明は、上記の課題を解決するための第２の手段として、上記第１の解決手段において、第１ドレイン部材と第２ドレイン部材の排出口側端部との間に排水路となる空間を設けることを特徴とするドレインの設置方法を提供するものである。
【００１０】
本発明は、上記の課題を解決するための第３の手段として、上記第１又は第２のいずれかの解決手段において、防水シートを、第２ドレイン部材に連結することを特徴とするドレインの設置方法を提供するものである。
【００１１】
本発明は、上記の課題を解決するための第４の手段として、上記第１乃至第３のいずれかの解決手段において、第１ドレイン部材を、防水シートの下に敷設された保護シートに連結することを特徴とするドレインの設置方法を提供するものである。
【００１２】
（２．ドレイン構造）
本発明は、上記の課題を解決するための第５の手段として、屋上、バルコニー等の構造物にドレイン部材を設置したドレイン構造において、ドレイン部材は、構造物に固定されて排水管に連結される第１ドレイン部材と、第２ドレイン部材とから成り、第２ドレイン部材は、第２ドレイン部材の排出口側端部が第１ドレイン部材及び排水管に固定されることなく第１ドレイン部材に挿入され、第２ドレイン部材の導入口側端部は第１ドレイン部材に部分的に固定されていることを特徴とするドレイン構造を提供するものである。
【００１３】
本発明は、上記の課題を解決するための第６の手段として、上記第５の解決手段において、第１ドレイン部材と第２ドレイン部材の排出口側端部との間には排水路となる空間が設けられていることを特徴とするドレイン構造を提供するものである。
【００１４】
本発明は、上記の課題を解決するための第７の手段として、上記第５又は第６のいずれかの解決手段において、第２ドレイン部材には防水シートが連結されていることを特徴とするドレイン構造を提供するものである。
【００１５】
本発明は、上記の課題を解決するための第８の手段として、上記第５乃至第７のいずれかの解決手段において、第１ドレイン部材は、防水シートの下に敷設された保護シートに連結されていることを特徴とするドレイン構造を提供するものである。
【発明の効果】
【００１６】
本発明によれば、上記のように、ドレイン部材を第１及び第２の複数のドレイン部材から構成し、第２ドレイン部材の排出口側端部を第１ドレイン部材及び排水管に固定することなく排水管に連結された第１ドレイン部材に挿入して、第２ドレイン部材を設置しているため、防水シートの保全や補修等の際に、排水管との連結の解除や排水管の切断、交換等を要することなく、第２ドレイン部材を第１ドレイン部材から抜き出すだけで、第２ドレイン部材を交換することができ、保全や補修作業を、簡易にかつ迅速に低コストで行うことができる実益がある。
【００１７】
本発明によれば、上記のように、第１ドレイン部材と第２ドレイン部材の排出口側端部との間に排水路となる空間を設けているため、第１ドレイン部材を介しても雨水等を排水することができ、特に、何らかの原因で防水シートの下側に漏洩した雨水も第１ドレイン部材を介して排水管へ排水することができ、構造物内に雨水が侵入することを防止することができる実益がある。
【００１８】
この場合、本発明によれば、上記のように、第２ドレイン部材の導入口側端部を第１ドレイン部材に固定しているため、第２ドレイン部材を第１ドレイン部材を介して構造物に固定することができる一方、部分的に固定しているため、雨水が第２ドレイン部材と第１ドレイン部材との間から第１ドレイン部材内へ流入することができ、第１ドレイン部材による排水も確保することができる実益がある。
【００１９】
本発明によれば、上記のように、防水シートを、第２ドレイン部材に連結しているため、防水シート上の雨水を第２ドレイン部材を介して排水管へ排水することができる実益がある。
【００２０】
本発明によれば、上記のように、第１ドレイン部材を、防水シートの下に敷設された保護シートに連結しているため、防水シートの亀裂や破損等を原因として防水シートの下側へ漏洩した雨水を保護シートを介して第１ドレイン部材へ案内して、排水管へ排水することができる実益がある。
【図面の簡単な説明】
【００２１】
【図１】本発明のドレイン構造の概略断面図である。
【図２】本発明に用いられるドレイン部材のフランジ部の拡大断面図である。
【発明を実施するための形態】
【００２２】
本発明の実施の形態を図面を参照しながら詳細に説明すると、図１及び図２は、本発明のドレイン構造１０及びそのようなドレインを設置する状態を示し、このドレイン構造１０は、構造物１にドレイン部材１２を設置して構築されている。このドレイン構造１０が設置される構造物１としては、特に限定はないが、例えば、オフィスビルや学校の校舎等の事業用の建造物やマンション等の居住用の建造物の屋根やベランダ、バルコニー等を挙げることができ、本発明は、これらの排水性を確保することが要求される構造物１に適用することができる。
【００２３】
図示の実施の形態では、このような構造物１として、防水シート２が敷設された構造物１が示されている。図示の実施の形態では、この防水シート２は、構造物１の躯体上に敷設された断熱材３を介して構造物１に固定されたシート接合部材４に接合されて敷設されており、防水シート２を、構造物１の躯体や断熱材３に直に固定することなく、シート接合部材４を介して固定することにより、躯体や断熱材３の亀裂や振動、目地の挙動（目地とは、躯体や断熱材同士の継ぎ目であり、この目地が地震や振動等で動くことをいう。）等の影響を受けることが少ない方法で敷設している。但し、この断熱材３やシート接合部材４の有無や敷設方法には特に限定はなく、他の方法により防水シート２を敷設することもできる。
【００２４】
また、図示の実施の形態では、図１及び図２に示すように、防水シート２の下に更に保護シート５が敷設されている。この保護シート５は、図１に示すように、構造物１の躯体上の断熱材３のほぼ全面にわたって敷設され、仮に何らかの原因で防水シート２の亀裂や破損等が生じるようなことがあった場合でも、防水シート２から漏洩した雨水が断熱材３や構造物１に雨水が進入するのを防止している。
【００２５】
ドレイン部材１２は、本発明では、図１及び図２に示すように、構造物１に固定される第１ドレイン部材１２Ａと、第２ドレイン部材１２Ｂとから成っている。
（１．第１ドレイン部材）
第１ドレイン部材１２Ａは、図１及び図２に示すように、構造物１の躯体内に一部が埋め込まれる一方、壁面等に沿って設置された排水管１４に直接連結されている。より具体的には、この第１ドレイン部材１２Ａは、図１及び図２に示すように、第１フランジ部１６ａと、この第１フランジ部１６ａから内側に連続して延びる第２フランジ部１６ｂと、この第２フランジ部１６ｂから下方に連続して延びる大径管部１６ｃと、この大径管部１６ｃから連続して延びる小径管部１６ｄとを備え、図１及び図２に示すように、大径管部１６ｃ及び小径管部１６ｄを、構造物１の躯体に形成された排出孔１ａに通して第２フランジ部１６ｂを構造物１の躯体に係合させた上で、特に図２に示すように、第１フランジ部１６ａをビス１８により構造物１の躯体上に敷設された断熱材３を介して構造物１に固定することにより設置される。
【００２６】
この場合、特に図２に示すように、保護シート５や断熱材３、構造物１の損傷を回避するため、または、ビス１８やリベット２６の締め付けにより、ビス１８やリベット２６が貫通する穿孔部を止水するため、第１ドレイン部材１２Ａの第１フランジ部１６ａと断熱材３上の保護シート５との間にシール材２０を介在させることが好ましい。なお、このシール材２０は、図１に示すように、シート接合部材４と断熱材３上の保護シート５との間にも設置することが望ましい。また、特に図２に示すように、第１ドレイン部材１２Ａの第１フランジ部１６ａと第２ドレイン部材１２Ｂの第１フランジ部２２ａとの間にもシール材２８を介在させるのが好ましい。これらのシール材２０、２８は、定形シール材でも不定形シール材であっても良く、定形シール材としては発泡樹脂テープ、ブチルテープが好適なものとして挙げられ、不定形シール材としては変性シリコーン樹脂製シーリング材やウレタン樹脂製シーリング材が好適なものとして挙げられる。また、発泡樹脂テープとしてはスポンジテープが特に好適なものとして挙げられる。
【００２７】
これらの第１ドレイン部材１２Ａ及び第２ドレイン部材１２Ｂを構成するドレイン部材１２は、鋼板を芯材として加工されたものが好ましく、特に鋼板の表面に合成樹脂を被覆したいわゆる合成樹脂被覆鋼板からなるものであることが好ましい。さらに加工後にディッピングなどにより、ドレイン部材１２の全面にわたり合成樹脂を被覆したものであってもよい。この合成樹脂としては、接合対象となる防水シート２や保護シート５と同種の樹脂を使用することが好ましい。このような合成樹脂とすることにより、第１ドレイン部材１２Ａと保護シート５との接合、第２ドレイン部材１２Ｂと防水シート２との接合の際に、溶剤による溶着作業、熱による融着作業が容易となり、防水の長期の信頼性が向上するためである。
【００２８】
第１ドレイン部材１２Ａは、一方で、図１に示すように、小径管部１６ｄの先端に排出口１６ｅを有し、この小径管部１６ｄを排水管１４に直接連結することにより、排出口１６ｅが排水管１４に連通している。これにより、第１ドレイン部材１２Ａ内に流入した雨水は、排水管１４へ排水される。この場合、小径管部１６ｄと排水管１４との連結は、嵌合、螺合、図示しないリングによる締め付け等、特にその方法に限定はない。
【００２９】
また、第１ドレイン部材１２Ａは、特に図２に示すように、断熱材３上に敷設された保護シート５上に第１フランジ部１６ａを配置して設置される。この場合、特に、図２から解るように、この保護シート５と第１ドレイン部材１２Ａの第１フランジ部１６ａとに跨って、防水テープ３０を貼付することにより、保護シート５に連結されている。このため、例えば、防水シート２の亀裂や破損等の何らかの原因で防水シート２の下側に漏洩した雨水も、保護シート５を介して第１ドレイン部材１２Ａに案内して排水管１４へ排水することができ、構造物１内に雨水が侵入することを防止することができる。なお、この限りにおいて、保護シート５も、防水シート２と同様の防水性を備えていることが望ましい。また、排水性を確保するために、構造物１の床面上に敷設される断熱材３は、その上面がドレイン構造１０の設置箇所に向けて若干傾斜して形成される。
【００３０】
ここに保護シート５とは、防水シート２と構造物１との間に介在されて、防水シート２を保護するためのシートをいうが、上記の防水性を備えている保護シート５としては、ポリ塩化ビニル樹脂、ポリエチレン、ポリプロピレン等の防水性シートまたは不織布から構成されたシート、また、これらのシート内部又は表面にポリエステル等の繊維基材が介在されたクロスシート等が挙げられる。また、特に住宅の床等のコンクリート養生時や、建物改修時等の床面マスキングのために使用されている養生シートは、軽量で、折曲げや切り取り加工も容易であり、防水性にも優れるため、特に好適なものとして挙げられる。これらの養生シートとしてはポリエチレン製のものが挙げられ、厚さは０．５ｍｍ〜１．５ｍｍ厚さのものが好適なものとして挙げられる。
【００３１】
なお、図示の実施の形態では、排水管１４が、第１ドレイン部材１２Ａの大径管部１６ｃよりも小径であるため、小径管部１６ｄが設定されているが、第１ドレイン部材の管部を必ずしも大径と小径とから構成する必要はなく、後述するように第２ドレイン部材１２Ｂが挿入される大径管部１６ｃに相当する部分が、排水管１４とほぼ同径である場合には、大径管部１６ｃに相当する部分のみを設定すれば足りる。同様に、大径管部１６ｃは、後述する第２ドレイン部材１２Ｂの管部２２ｃよりも大径であればよく、また、その結果、一般的なドレイン部材１２よりも大径に設定した場合には、大きな排水量を確保することができると共に、雨水だけではなく、例えば、落ち葉や泥その他の浮遊物の排出も可能となり、これらの浮遊物によるドレイン部材１２のつまりを防止することもできる。
【００３２】
同様に、構造物１の躯体上に更に断熱材３を敷設した図示の実施の形態では、第１ドレイン部材１２Ａを、構造物１の躯体に係合する第２フランジ部１６ｂと、断熱材３に係合する第１フランジ部１６ａの２段フランジを有する構成としたが、必ずしも、この態様に限定されるものではなく、設置対象の態様に応じて、適宜設定することができ、例えば、図示の実施の形態と異なり、断熱材３を敷設しない場合には、図１及び図２に示す実施の形態における第２フランジ部１６ｂに相当するフランジ部（構造物１の躯体に係合するフランジ部）のみを設定すればよい。
【００３３】
（２．第２ドレイン部材）
第２ドレイン部材１２Ｂは、図１及び図２に示すように、断熱材３上に設置される第１フランジ部２２ａと、この第１フランジ部２２ａから内側に連続して延びる第２フランジ部２２ｂと、この第２フランジ部２２ｂから下方に連続して延びる管部２２ｃとを備え、この管部２２ｃの先端には排出口２２ｄが、また、管部２２ｃを挟んでこの排出口２２ｄとは反対側において開口する導入口２２ｅが形成されている。
【００３４】
この第２ドレイン部材１２Ｂは、図１に示すように、第２ドレイン部材１２Ｂの管部２２ｃを第１ドレイン部材１２Ａ内に挿入するとともに、その第１フランジ部２２ａ、第２フランジ２２ｂをそれぞれ第１ドレイン部材１２Ａの第１フランジ部１６ａ、第２フランジ部１６ｂに重ねるようにして配置される。
【００３５】
この場合、第２ドレイン部材１２Ｂは、図１に示すように、排出口２２ｄ側端部（管部２２ｃの下端）を第１ドレイン部材１２Ａ及び排水管１４に固定することなく、その管部２２ｃが第１ドレイン部材１２Ａに挿入される。具体的には、第２ドレイン部材１２Ｂの管部２２ｃを、第１ドレイン部材１２Ａのうち第２ドレイン部材１２Ｂの管部２２ｃが挿入される部分（第１ドレイン部材１２Ａの大径管部１６ｃ）よりも短く形成する。これにより、第２ドレイン部材１２Ｂは、排出口２２ｄ側では、第１ドレイン部材１２Ａや排水管１４とは干渉することなく、自由状態で設置されている。このため、第２ドレイン部材１２Ｂは、第１ドレイン部材１２Ａから抜き出すだけで、交換することができ、特に、防水シート２の保全や補修等の際に、排水管１４との連結の解除や排水管１４の切断、交換等を要することなく交換できる点で、防水シート２の保全や補修作業を、簡易にかつ迅速に低コストで行うことができる。また、第２ドレイン部材１２Ｂは、その排出口２２ｄから、第１ドレイン部材１２Ａ、ひいては排水管１４に向けて、管部２２ｃ内に流入した雨水を放出して、排水することができる。
【００３６】
また、この第２ドレイン部材１２Ｂは、図１に示すように、その排出口２２ｄ側端部（管部２２ｃの下端）と第１ドレイン部材１２Ａとの間に、排水路２４となる空間が形成されるように設置される。具体的には、第２ドレイン部材１２Ｂの管部２２ｃは、上記のように第１ドレイン部材１２Ａの管部よりも短く形成すると共に、図１に示すように、少なくとも第１ドレイン部材１２Ａのうち、この第２ドレイン部材１２Ｂの管部２２ｃが挿入される部分（図示の実施の形態では、大径管部１６ｃ）よりも、小径に形成する。これにより、第１ドレイン部材１２Ａ内に流入した雨水は、第２ドレイン部材１２Ｂの存在にかかわらず、排水路２４を通って排水管１４へ排水され、特に、何らかの原因で防水シート２の下側に漏洩した雨水も保護シート５や第１ドレイン部材１２Ａを介して排水管１４へ排水することができ、構造物１内に雨水が侵入することを防止することができる。なお、この場合、この排水路２４へ雨水が流入することができるよう、第２ドレイン部材１２Ｂと第１ドレイン部材１２Ａとの間は、図１及び図２に示すように、全般にわたって間隙が形成される。
【００３７】
一方、第２ドレイン部材１２Ｂの導入口２２ｅ側端部は、図１及び図２に示すように、第１ドレイン部材１２Ａに部分的に固定されている。具体的には、図示の実施の形態では、特に、図２に示すように、第２ドレイン部材１２Ｂの第１フランジ部２２ａを、構造物１の躯体上に敷設された断熱材３に固定された第１ドレイン部材１２Ａの第１フランジ部１６ａにリベット２６により固定する。これにより、第２ドレイン部材１２Ｂを第１ドレイン部材１２Ａを介して構造物１に固定することができる。
【００３８】
また、この場合、特に図２に示すように、リベット２６の周囲にシール材２８を配置することにより、フランジ部同士のすれや損傷を防止することができると共に、第２ドレイン部材１２Ｂの第１フランジ部２２ａと第１ドレイン部材１２Ａの第１フランジ部１６ａとの間に間隙が形成され、第２ドレイン部材１２Ｂと第１ドレイン部材１２Ａとの間から第１ドレイン部材１２Ａ内に雨水が流入することができ、第１ドレイン部材による排水も確保することができる。なお、このリベット２６は、ドレイン部材１２の位置ずれ等が防止できる程度の設置数を設定すれば足りる。
【００３９】
また、この第２ドレイン部材１２Ｂには、図１及び図２に示すように、防水シート２が連結されている。具体的には、特に、図２に示すように、第２ドレイン部材１２Ｂの第１フランジ部２２ａに防水シート２を重ね合わせた上で、溶剤、熱、超音波等の適宜の方法で、必要に応じて接着剤を介して、防水シート２を第１フランジ部２２ａに溶着、融着、又は接着させる。この場合、構造物１への雨水の侵入を可及的に防止すべく、防水シート２は、図２に示すように、リベット２６を覆うように敷設することが好ましい。これにより、防水シート２上に降り注ぐ等した雨水は、第２ドレイン部材１２Ｂ内に流入し、排水管１４へ排水される。
【００４０】
なお、構造物１の躯体上に更に断熱材３を敷設した図示の実施の形態では、第１ドレイン部材１２Ａの形状に合わせて、第２ドレイン部材１２Ｂのフランジ部も、第２フランジ部２２ｂと第１フランジ部２２ａの２段フランジ構造としたが、必ずしも、この態様に限定されるものではなく、設置対象の態様に応じて、適宜設定することができ、例えば、図示の実施の形態と異なり、断熱材３を敷設しない場合には、図１及び図２に示す実施の形態における第２フランジ部２２ｂに相当するフランジ部（構造物１の躯体に係合する第１ドレイン部材１２Ａの第２フランジ部１６ｂに対応するフランジ部）のみを設定すればよい。
【００４１】
（３．ドレイン部材の設置方法）
次に、上記ドレイン構造１０を有するドレインの設置方法について説明すると、まず、図１に示すように、構造物１の躯体上に断熱材３を配置し、この断熱材３上に保護シート５が敷設された状態で、図１に示すように、第１ドレイン部材１２Ａを、構造物１の排出孔１ａに差し込んで、第１フランジ部１６ａを、図２に示すように、ビス１８により、断熱材３、保護シート５、及びシール材２０を介して、構造物１に固定する。次いで、図２に示すように、この第１ドレイン部材１２Ａの第１フランジ部１６ａと保護シート５とに跨って防水テープ３０を貼付して、第１ドレイン部材１２Ａと保護シート５とを連結する。
【００４２】
その後、第２ドレイン部材１２Ｂの管部２２ｃを、第１ドレイン部材１２Ａの大径管部１６ｃ内に挿入する一方、第２ドレイン部材１２Ｂの第１フランジ部２２ａを、第１ドレイン部材１２Ａの第１フランジ部１６ａに、シール材２８を介して、リベット２６により連結する。次いで、保護シート５の上に敷設された防水シート２を、第２ドレイン部材１２Ｂの第１フランジ部２２ａに、リベット２６に跨って重ね合わせ、その重なり部を溶着等して接合する。
【００４３】
なお、第１ドレイン部材１２Ａと排水管１４との接続は、第１ドレイン部材１２の設置の前後を問わず、さらには、第２ドレイン部材１２Ｂの設置後に行うこともできる。また、図示の実施の形態では、屋上やベランダ等の構造物１の隅部にドレイン構造１０が設置されているため、第１ドレイン部材１２Ａ、第２ドレイン部材１２Ｂのいずれも、一方の端部が構造物１の壁面１ｂまで延び、この壁部１ｂにも固定されている。
【産業上の利用可能性】
【００４４】
本発明は、特に風雨に曝されるオフィスビルや学校の校舎等の事業用の建造物やマンション等の居住用の建造物の屋根やベランダ、バルコニー等の防水性が要求される箇所に広く適用することができる。
【符号の説明】
【００４５】
１  構造物
１ａ  構造物の排水孔
１ｂ  構造物の壁面
２  防水シート
３  断熱材
４  シート接合部材
５  保護シート
１０  ドレイン構造
１２  ドレイン部材
１２Ａ  第１ドレイン部材
１２Ｂ  第２ドレイン部材
１４  排水管
１６ａ  第１ドレイン部材の第１フランジ部
１６ｂ  第１ドレイン部材の第２フランジ部
１６ｃ  第１ドレイン部材の大径管部
１６ｄ  第１ドレイン部材の小径管部
１６ｅ  第１ドレイン部材の排出口
１８  ビス
２０  シール材
２２ａ  第２ドレイン部材の第１フランジ部
２２ｂ  第２ドレイン部材の第２フランジ部
２２ｃ  第２ドレイン部材の管部
２２ｄ  第２ドレイン部材の排出口
２２ｅ  第２ドレイン部材の導入口
２４  排水路
２６  リベット
２８  シール材
３０  防水テープ
【図１】
0005434401.tif 000002
【図２】
0005434401.tif 000003